(57)【要約】【課題】通常モードと夜間モードとの自動切換機能を備えたボタン電話装置において、夜間モードへの切換時刻になったとき、ボタン電話機の付近に人がいないと推測されるときのみ自動的に夜間モードへ切換える。【解決手段】ボタン電話装置は、主装置と、その内線に収容された複数のボタン電話機とからなる。ボタン電話機は、設置されている部屋の明るさを検知する光センサを備えている。夜間モードへの切換時刻になったとき（ステップＳ１でYES）、光センサの検知信号がオフの場合は（ステップＳ２でYES）、照明が消えており、人がいないと判断して、夜間モードに切換える（ステップＳ３）。また、光センサの検知信号がオンの場合は（ステップＳ２でNO）、照明がついており、人がいると判断して、夜間予備モードに切換える（ステップＳ４）。【選択図】  図２
2007208494.tif 000002
【特許請求の範囲】
【請求項１】
主装置と、該主装置に収容された複数のボタン電話機とを備えたボタン電話装置において、
通常モードから夜間モードへの切換時刻を検知する夜間モード切換時刻検知手段と、夜間モードから通常モードへの切換時刻を検知する通常モード切換時刻検知手段と、前記夜間モード切換時刻検知手段の検知出力発生から前記通常モード切換時刻検知手段の検知出力発生迄の間に、前記ボタン電話機付近の明るさを検知する光センサが検知信号を発生していないとき、前記通常モードから夜間モードへ切換えるモード切換手段とを備えたことを特徴とするボタン電話装置。
【請求項２】
請求項１記載のボタン電話装置において、
前記夜間モード切換時刻検知手段の検知出力発生から前記通常モード切換時刻検知手段の検知出力発生迄の間に、前記ボタン電話機付近の明るさを検知する光センサが検知信号を発生しているとき、前記通常モードから夜間予備モードへ切換えるモード切換手段を備えたことを特徴とするボタン電話装置。
【請求項３】
請求項２記載のボタン電話装置において、
夜間予備モードに設定されているときに着信鳴動を行う手段と、該着信鳴動の開始から所定時間内に応答がなかったときに留守番応答を行う手段とを備えたことを特徴とするボタン電話装置。
【請求項４】
請求項３記載のボタン電話装置において、
電話帳データ記憶手段を備え、前記着信鳴動を行う手段は、該電話帳データ記憶手段に記憶されている相手から着信したときのみ着信鳴動を行うことを特徴とするボタン電話装置。
【請求項５】
請求項１記載のボタン電話装置において、
前記複数のボタン電話機の中から前記光センサの検知信号の有無に応じたモード切換を行うボタン電話機を選択するための手段を有することを特徴とするボタン電話装置。
【発明の詳細な説明】
【技術分野】
【０００１】
本発明は、通常モードと夜間モードとの自動切換機能を備えたボタン電話装置に関し、詳細には、夜間モードへの切換時刻になったときに、ボタン電話機の付近に人がいないと推測される場合のみ自動的に夜間モードへの切換を行うボタン電話装置に関する。
【背景技術】
【０００２】
従来、通常モード（昼間モード）と夜間モードとの自動切換機能を備えたボタン電話装置としては、年間の休日を格納する休日テーブルと、平日用の昼夜自動切換時刻と休日用の昼夜自動切換時刻とを格納した昼夜切換時刻記憶部と備え、午前０時に前記テーブルを参照して平日か休日かを判定し、その判定結果に基づいて昼夜切換時刻記憶部から平日用又は休日用の昼夜自動切換時刻を読み出し、読み出された昼夜自動切換時刻になった時に夜間モードと昼間モードとの切換を行うことにより、日付単位で通常モードと夜間モードとの自動切換が行えるようにしたボタン電話装置がある（特許文献１参照）。
【特許文献１】特開平５−２１９５４９号公報
【発明の開示】
【発明が解決しようとする課題】
【０００３】
しかしながら、上記ボタン電話装置では、通常モードから夜間モードへの切換時刻になると、その主装置の内線に収容されたボタン電話機の付近に人がいても、夜間モードに設定されてしまうため、ボタン電話機の使用が制限されてしまうという問題がある。
【０００４】
本発明は、このような問題を解決するためになされたもので、その目的は、通常モードと夜間モードとの自動切換機能を備えたボタン電話装置において、通常モードから夜間モードへの切換時刻になったとき、ボタン電話機の付近に人がいないと推測される場合のみ自動的に夜間モードへの切換を可能にすることである。
【課題を解決するための手段】
【０００５】
請求項１の発明は、主装置と、該主装置に収容された複数のボタン電話機とを備えたボタン電話装置において、通常モードから夜間モードへの切換時刻を検知する夜間モード切換時刻検知手段と、夜間モードから通常モードへの切換時刻を検知する通常モード切換時刻検知手段と、前記夜間モード切換時刻検知手段の検知出力発生から前記通常モード切換時刻検知手段の検知出力発生迄の間に、前記ボタン電話機付近の明るさを検知する光センサが検知信号を発生していないとき、前記通常モードから夜間モードへ切換えるモード切換手段とを備えたことを特徴とするボタン電話装置である。
請求項２の発明は、請求項１記載のボタン電話装置において、前記夜間モード切換時刻検知手段の検知出力発生から前記通常モード切換時刻検知手段の検知出力発生迄の間に、前記ボタン電話機付近の明るさを検知する光センサが検知信号を発生しているとき、前記通常モードから夜間予備モードへ切換えるモード切換手段を備えたことを特徴とする。
請求項３の発明は、請求項２記載のボタン電話装置において、夜間予備モードに設定されているときに着信鳴動を行う手段と、該着信鳴動の開始から所定時間内に応答がなかったときに留守番応答を行う手段とを備えたことを特徴とする。
請求項４の発明は、請求項３記載のボタン電話装置において、電話帳データ記憶手段を備え、前記着信鳴動を行う手段は、該電話帳データ記憶手段に記憶されている相手から着信したときのみ着信鳴動を行うことを特徴とする。
請求項５の発明は、請求項１記載のボタン電話装置において、前記複数のボタン電話機の中から前記光センサの検知信号の有無に応じたモード切換を行うボタン電話機を選択するための手段を有することを特徴とすることを特徴とする。
【０００６】
（作用）
請求項１の発明によれば、通常モードから夜間モードへの切換時刻から、夜間モードから通常モードへの切換時刻迄の間に、ボタン電話機付近の明るさを検知する光センサが検知信号を発生していないときに、通常モードから夜間モードに切換わる。
請求項２の発明によれば、通常モードから夜間モードへの切換時刻から、夜間モードから通常モードへの切換時刻迄の間に、ボタン電話機付近の明るさを検知する光センサが検知信号を発生しているときは、通常モードから夜間予備モードに切換わる。
請求項３の発明によれば、夜間予備モードに設定されているときは、着信鳴動の開始から所定時間内に応答がなかった場合に留守番応答を行う。
請求項４の発明によれば、夜間予備モードに設定されているときは、電話帳に登録されている相手から着信したときのみ着信鳴動を行う。
請求項５の発明によれば、複数のボタン電話機の中から前記光センサの検知信号の有無に応じたモード切換を行うボタン電話機を選択することができる。
【発明の効果】
【０００７】
本発明によれば、通常モードと夜間モードとの自動切換機能を備えたボタン電話装置において、通常モードから夜間モードへの切換時刻になったとき、ボタン電話機の付近が暗くなっていることから、照明が消えており、人がいないと推測されたときのみ自動的に夜間モードに設定することができる。
【発明を実施するための最良の形態】
【０００８】
以下、本発明の実施形態について図面を参照して説明する。
図１に示すように、本発明の実施形態に係る通常モードと夜間モードとの自動切換機能を備えボタン電話装置は、主装置１及びそれに収容されたＮ台（Ｎ≧２）のボタン電話機2-1〜2-Nからなる。主装置１は、１本以上の電話回線４に接続されており、内線伝送路３によりボタン電話機2-1〜2-Nに接続されている。ボタン電話機2-1〜2-Nは例えばオフィスの机の上に配置されている。
【０００９】
主装置１は、電話回線４及びボタン電話機2-1〜2-Nの状態を管理し、この主装置全体の制御等を行う制御部11と、電話回線４を終端制御する外線インタフェース部12と、内線伝送路３を介してボタン電話機2-1〜2-Nを収容する内線インタフェース部13と、外線インタフェース部12と内線インタフェース部13とを交換接続する交換処理部14と、時計15と、制御部11での制御に必要な各種制御情報、外線情報、内線情報等を関連付けて記憶する記憶部16とを備えている。ここでは、便宜上、このボタン電話装置を通常モードから夜間モードへ切換える夜間モード設定時刻と、夜間モードから通常モードへ切換える夜間モード解除時刻とが記憶されたモード切換時刻記憶部16ａ、及び電話帳データが記憶される電話帳データ記憶部16ｂを図示した。
【００１０】
ボタン電話機2-1は、このボタン電話機全体の制御等を行う制御部21と、それぞれが制御部21に接続された内線インタフェース部22、音声処理部23、ＬＣＤ表示部24、ＬＥＤ発光部25、操作部26、及び光センサ27を備えている。内線インタフェース部22は、内線伝送路３を介して主装置１と通信を行い、音声処理部23は、音声信号アンプ、スピーカ、及び受話器等を備えており、呼出音や各種報知音の出力等を行う。ＬＣＤ表示部24は制御部21から送られてくる各種情報や後述する操作部26から入力される情報等を表示する。ＬＥＤ発光部25は後述する操作部26を構成する各種キーの照明や状態表示等を行うための光源である。操作部26は、ダイヤルキー、外線キー、フックスイッチ等の各種キーを備え、ユーザがこれらのキーを用いて入力した情報を制御部21へ送る。光センサ27はボタン電話機2-1の筐体の適当な部位に実装されたフォトセンサからなり、ボタン電話機2-1の設置場所の明るさを検出することで、例えばボタン電話機2-1が設置されている部屋の照明が点灯しているか消灯しているかを検出することができる。他の（Ｎ−１）台のボタン電話機の構成もボタン電話機2-1の構成と同様であるが、（Ｎ−１）台の少なくとも一部については光センサ27を有しない構成にしてもよい。
【００１１】
以上の構成を有するボタン電話装置のモード切換動作について、図２のフローチャート及び図３のタイミングチャートを参照しながら説明する。ここでは、主装置１とボタン電話機2-1との関連動作について説明するが、他のボタン電話機についても動作は同じである。
【００１２】
制御部11は時計15の発生する時刻情報とモード切換時刻記憶部16ａに記憶されている夜間モード設定時刻とを比較し、夜間モード設定時刻(図３の時刻Ｔ1)であると判定すると（ステップＳ１でYES）、内線インタフェース部13から内線伝送路３経由でボタン電話機2-1に対し、光センサ27の検知信号を通知するように指令する。
【００１３】
ボタン電話機2-1の制御部21は、光センサ27の出力を監視しており、上記指令を受け取ると、光センサ27の検知信号を主装置１の制御部11へ通知する。このとき、ボタン電話機2-1の付近が明るいため、光センサ27が光を検知している場合は検知信号「オン」を通知し、ボタン電話機2-1の付近が暗いため、光センサ27が光を検知していない場合は検知信号「オフ」を通知する。従って、ボタン電話機2-1が設置されている部屋の照明が点灯している場合は光センサ27の検知信号が「オン」となり、照明が消灯している場合は検知信号が「オフ」となる。
【００１４】
主装置１の制御部11は、ボタン電話機2-1からの通知に基づいて光センサ27の検知信号がオフであるか否かを判定する（ステップＳ２）。そして、オフと判定した場合はボタン電話機2-1を夜間モードに切換え（ステップＳ３）、オフでないと判定した場合はボタン電話機2-1を夜間予備モードに切換える（ステップＳ４）。図３の場合、時刻Ｔ1からＴ3迄の間は、照明が明るいため光センサ２７の検知信号はオフとなり、ボタン電話機2-1は夜間予備モードに設定される。ここで、ボタン電話機2-1は、その操作部26からの設定操作により、このような光センサ27の検知信号のオン又はオフに応じた自動モード切換動作を行うか否かの選択が可能である。
【００１５】
この夜間予備モードは照明の消し忘れに対応したものであり、その動作は、着信に対して所定時間応答しないときに、着信鳴動を停止させたり、留守番応答を行ったり、着信拒否（ビジー）にしたりするものである。また、夜間モードの動作には、着信者に対する業務終了メッセージの自動応答、発着信可能なボタン電話機の限定、省電力モード等がある。
【００１６】
前述したステップＳ１にて夜間モード設定時刻ではないと判定した場合は、夜間モード解除時刻（図３の時刻Ｔ2）であるか否かを判定する（ステップＳ５）。判定の結果が夜間モード解除時刻である場合は通常モードに切換え（ステップＳ６）、夜間モード解除時刻ではない場合は夜間予備モードに設定されているか否かを判定する（ステップＳ７）。そして、夜間予備モードに設定されていると判定したときは、夜間モード設定時刻と判定した場合（ステップＳ１でYES）と同様、光センサ27の検知信号がオフであるか否かを判定し（ステップＳ８）、判定の結果がオフの場合はボタン電話機2-1を夜間モードに切換え（ステップＳ９）、オフでない場合はそのまま処理を終える。また、ステップＳ７にて夜間予備モードに設定されていないと判定した場合もそのまま処理を終える。
【００１７】
従って、図３の時刻Ｔ1からＴ3迄の間は夜間予備モードが継続し、時刻Ｔ3になると、夜間モードに切換わる。また、一旦、夜間モードに切換わると、夜間モード解除時刻Ｔ2迄の間に照明が点灯され、明るくなっても（図３の時刻Ｔ4からＴ5迄）、夜間モードは維持される（図３の第１動作モード）。
【００１８】
次に各モードにおける着信時の処理について、図４のフローチャートを参照しながら説明する。電話回線４から着信があり、外線インタフェース部12から制御部１１へ通知されると、制御部11はボタン電話機2-1の動作モードを判定し（ステップＳ11）、その結果に応じて以下に示す処理を実行する。
【００１９】
通常モードと判定した場合は、ボタン電話機2-1の音声処理部23が着信鳴動を行うように、内線インタフェース部13から内線伝送路３経由で制御する（ステップＳ12）。次いで、ボタン電話機2-1から応答があったか否か（オフフックされたか否か）を判定し（ステップＳ13）、着信終了前に応答があった場合（ステップＳ13でYES）は通話処理を行い、電話回線４からの着信元とボタン電話機2-1との間に通話を可能にする。着信終了迄に応答がなかった場合（ステップＳ14でYES）は終話処理を行う。
【００２０】
夜間予備モードと判定した場合は、通常モードと判定した場合と同様、ボタン電話機2-1に着信鳴動を行わせると共に（ステップＳ15）、図示されていないタイマーをスタートさせる。そして、所定時間経過してタイムアップする迄に応答があった場合（ステップＳ16でYES）は通話処理を行い、タイムアップする迄に応答がなかった場合（ステップＳ17でYES）は、記憶部16に記憶されている留守番応答メッセージを発信元へ送出する等の留守番応答処理を行う（ステップＳ18）。
【００２１】
このように、本実施形態のボタン電話装置によれば、通常モードから夜間モードへの切換時刻になると、ボタン電話機が設置されている部屋が暗いか否かを光センサにより検知し、暗いと判定したときは通常モードから夜間モードに切換え、明るいと判定したときは通常モードから夜間予備モードに切換えることにより、ボタン電話機の付近が明るく人がいると推測された場合は着信に対する応答を可能にし、ボタン電話機の付近が暗く人がいないと推測された場合は着信者に対する業務終了メッセージの自動応答等を行うので、ボタン電話機の付近に人がいるかいないかに応じて、自動的に最適な着信応答が行える。
【００２２】
なお、以上の説明では、一旦、夜間モードに切換わると、夜間モード解除時刻Ｔ2迄の間に照明が点灯され、明るくなっても（図３の時刻Ｔ4からＴ5迄）、夜間モードが維持されるように構成したが(図３の第１動作モード)、明るくなったときは夜間予備モードに切換わるように構成してもよい(図３の第２動作モード)。この第２動作モードを行えように構成する場合は、図２のステップＳ７でNOの場合に、夜間モードであるか否かを判定し、夜間モードであるときは光センサの検知信号がオンであるか否かを判定し、オンである場合に夜間予備モードを設定する処理を付加すればよい。
【００２３】
また、光センサ27をボタン電話機に設ける代わりに、ボタン電話機が設置されている部屋の天井等に設け、その検知信号を主装置１に入力するように構成してもよい。夜間予備モードに設定されている状態で着信があったときは、発信者番号が電話帳データ記憶部16ｂに記憶されている場合のみ着信鳴動を行うように構成することもできる。
【図面の簡単な説明】
【００２４】
【図１】本発明の実施形態に係る通常モードと夜間モードとの自動切換機能を備えボタン電話装置の構成を示す図である。
【図２】本発明の実施形態のボタン電話装置のモード切換動作のフローチャートである。
【図３】本発明の実施形態のボタン電話装置のモード切換動作のタイミングチャートである。
【図４】本発明の実施形態のボタン電話装置の着信処理のフローチャートである。
【符号の説明】
【００２５】
１・・・主装置、2-1〜2-N・・・ボタン電話機、11・・・制御部、15・・・時計、16ａ・・・モード切換時刻記憶部、27・・・光センサ。
【図１】
2007208494.tif 000003
【図２】
2007208494.tif 000004
【図３】
2007208494.tif 000005
【図４】
2007208494.tif 000006